(57)【要約】      （修正有）【課題】トリップロック端子用電圧計の測定範囲の自由度を高めて、一対のトリップロック端子の電圧を同時に測定することが可能なトリップロック端子用電圧計を提供する。【解決手段】トリップロック端子用電圧計１は、箱状に形成された本体部３に、一対のトリップロック端子２の一方の端子２１の電圧を表示する第１の表示部４ａ及び他方の端子２２の電圧を表示する第２の表示部４ｂと、トリップロック端子２の一方の端子２１に接続する第１端子部５１と他方の端子２２に接続する第２端子部５２とが一体に形成された端子部５３を有する端子接続部５と、電力保護制御盤に設けられたアース端子に接続するアース接続部６と、を備える。端子接続部５は、基端が本体部３の内部に形成される電圧測定回路に接続され、先端に端子部５３が形成される有線状のものである。【選択図】図１
2016114443.tif 000002
【特許請求の範囲】
【請求項１】
電力保護制御盤に設けられた一対のトリップロック端子の電圧を測定するトリップロック端子用電圧計であって、
箱状に形成された本体部に、
前記一対のトリップロック端子の一方の端子の電圧を表示する第１の表示部及び他方の端子の電圧を表示する第２の表示部と、
前記トリップロック端子の一方の端子に接続する第１端子部と他方の端子に接続する第２端子部とが一体に形成された端子部を有する端子接続部と、
前記電力保護制御盤に設けられたアース端子に接続するアース接続部と、を備え、
前記端子接続部は、基端が前記本体部の内部に形成される電圧測定回路に接続され、先端に前記端子部が形成される有線状のものであることを特徴とするトリップロック端子用電圧計。
【請求項２】
前記本体部は、前記端子接続部の端子部を収容する収容部を有することを特徴とする請求項１に記載のトリップロック端子用電圧計。
【請求項３】
前記本体部は、底面の面積が上面の面積よりも広く形成され、
前記収容部は、側面から底面に向かって切欠いて形成された収容空間であることを特徴とする請求項２に記載のトリップロック端子用電圧計。
【請求項４】
前記収容部は、前記本体部の側面から外方に突出してポケット状に形成されていることを特徴とする請求項２に記載のトリップロック端子用電圧計。
【請求項５】
前記端子接続部の端子部は、第１端子部と第２端子部との離接距離を調整可能な調整機構が設けられたことを特徴とする請求項１乃至４のいずれかに記載のトリップロック端子用電圧計。
【請求項６】
前記端子接続部の第１端子部及び第２端子部に形成される端子は、接続方向に対してその基端部が鋭角から直角の角度を有して形成されていることを特徴とする請求項１乃至５のいずれかに記載のトリップロック端子用電圧計。
【請求項７】
前記本体部は、底面に作業者の腕に取り付け可能な取付部が形成されていることを特徴とする請求項１乃至６のいずれかに記載されたトリップロック端子用電圧計。
【請求項８】
前記本体は、音声を出力する音声出力部を備え、
前記音声出力部は、電圧の測定結果に応じて音声を出力することを特徴とする請求項１乃至７のいずれかに記載されたトリップロック端子用電圧計。
【発明の詳細な説明】
【技術分野】
【０００１】
本発明は、トリップロック端子用電圧計に関し、一対のトリップロック端子の電圧を同時に測定することが可能なトリップロック端子用電圧計に関する。
【背景技術】
【０００２】
従来、トリップロック端子の電圧測定を行う場合、作業者は、電圧計本体とこの電圧計本体に接続された２本のリード線の先端部とを持ちながら、一方のリード線を試験用アース端子に接続させ、他方のリード線をトリップロック端子の何れか一方に接続させる必要がある。したがって、作業者は、電圧計本体を持ちながら、トリップロック端子に接続するリード線を他方のトリップロック端子まで移動させて接続を切り替えなければならず煩雑な作業が強いられている。
【０００３】
この煩雑な作業を解決するものとして、トリップロック端子に接続する接続部位を一対のトリップロック端子に同時に接続可能に形成し、電圧計本体に設けられたスイッチによりトリップロック端子との接続を切り替えて測定するものがあり、具体的には、測定電圧を表示する電圧計と、電圧計を収容する本体部と、トリップロック端子の端子距離間に応じた間隔で一対のトリップロック端子にそれぞれ当接される一対の接触子を有して構成し、スイッチングにより、一対の接触子のいずれかを選択して電圧計の回路に接続するトリップロック端子用電圧計が特許文献１に開示されている。
【先行技術文献】
【特許文献】
【０００４】
【特許文献１】特開２０１２−１５９４０３号公報
【発明の概要】
【発明が解決しようとする課題】
【０００５】
しかしながら、上述の従来のトリップロック端子用電圧計を用いてトリップロック端子の電圧を測定する場合には、次のような不都合がある。
すなわち、１つの電圧計をスイッチングにより接続を切り替えて測定するため、瞬時に接続状態が異常か正常かの判断をすることができない問題や、スイッチングが故障したときには正確に測定することができない（切替え不良により、いずれかの回路の電圧を測定することができない）不都合がある。
【０００６】
また、トリップロック端子に接続する接触子は、本体部の上部（上面）に設けられた端子箱に固定されているため、本体部の底面側から接触子をトリップロック端子に接続することは本体部が干渉するためできない。このため、電力保護制御盤が設置されている場所によっては、電圧計の表示が上下逆のまま測定したり、測定者の体の向きを変えて測定したりしなければならず、測定者の体に掛かる負担が大きい問題がある。
【０００７】
さらに、接触子が固定された端子箱は、本体部の半分程度の厚みを有して構成されており、トリップロック端子が狭隘な場所や、間隔を狭く配列してある場所においては、端子箱が測定対象以外のトリップロック端子等と干渉するため測定をすることができない不都合もある。
【０００８】
このため、一対のトリップロック端子の電圧を同時に図ることができ、また、電力保護制御盤の設置位置によらずに測定することができるトリップロック端子用電圧計の開発が望まれていた。
【０００９】
本発明は係る事情に鑑みてなされたものであり、トリップロック端子用電圧計の測定範囲の自由度を高めて、一対のトリップロック端子の電圧を同時に測定することが可能なトリップロック端子用電圧計を提供することを主たる課題としている。
【課題を解決するための手段】
【００１０】
上記課題を達成するために、本発明に係るトリップロック端子用電圧計は、電力保護制御盤に設けられた一対のトリップロック端子の電圧を測定するトリップロック端子用電圧計であって、箱状に形成された本体部に、前記一対のトリップロック端子の一方の端子の電圧を表示する第１の表示部及び他方の端子の電圧を表示する第２の表示部と、前記トリップロック端子の一方の端子に接続する第１端子部と他方の端子に接続する第２端子部とが一体に形成された端子部を有する端子接続部と、前記電力保護制御盤に設けられたアース端子に接続するアース接続部と、を備え、前記端子接続部は、基端が前記本体部の内部に形成される電圧測定回路に接続され、先端に前記端子部が形成される有線状のものであることを特徴としている。
【００１１】
したがって、第１端子部と第２端子部とが一体に形成された端子接続部を用いて、トリップロック端子の一方の端子及び他方の端子を同時にトリップロック端子用電圧計に接続することが可能となるため、第１の表示部と第２の表示部とに同時に一対のトリップロック端子の電圧を表示し測定することができる。また、端子接続部が有線状に形成されることにより、端子接続部の可動域が広がると共に、トリップロック端子に接続する端子部は、接続に必要な最小幅を有していればよいので、トリップロック端子が狭隘な場所や、間隔を狭く配列してある場所においても接続時に干渉する部材がないため、端子接続部を容易にトリップロック端子に接続することが可能となる。
【００１２】
また、本体部は、端子接続部の端子部を収容する収容部を有するようにしてもよい。
本体部に収容部を設けることにより、測定作業時に収容部に端子部を収容して短絡片を取り付ける等の作業を容易に行うことができ、また、保管時や移動時に端子接続部が断線することを防ぐことができる。
【００１３】
さらに、本体部は、底面の面積が上面の面積よりも広く形成され、収容部は、側面から底面に向かって切欠いて形成された収容空間であるようにしてもよいし、収容部は、本体部の側面から外方に突出してポケット状に形成されているものであってもよい。ここで、いずれの収容部を設けたとしても、本体部の両側面に収容部を設けることで、作業者の利き手に応じていずれかの側面の収容部に端子部を収容することができることになるため、作業の迅速化を図ることができる。
【００１４】
さらにまた、端子接続部の端子部は、第１端子部と第２端子部との離接距離を調整可能な調整機構が設けられるようにしてもよい。
第１端子部と第２端子部との離接距離を調整可能な調整機構を設けることにより、様々な規格のトリップロック端子に対して測定することが可能になり、１台のトリップロック端子用電圧計で測定することが可能となる。
【００１５】
また、端子接続部の第１端子部及び第２端子部に形成される端子は、接続方向に対してその基端部が鋭角から直角の角度を有して形成されているようにしてもよい。
端子の基端部を接続方向に対して鋭角から直角の角度を有して形成することで、端子部をトリップロック端子に接続する際に、隣接して設けられたトリップロック端子と干渉することを防ぐことができ、さまざまなトリップロック端子の設置態様に適応して測定することが可能となる。
【００１６】
さらに、本体部は、底面に作業者の腕に取り付け可能な取付部が形成されているようにしてもよい。
作業者は、作業状況によっては必ず本体部を手に持って作業を強いられることがあるが、取付部を腕に巻き付けて測定作業を行うことにより、トリップロック端子用電圧計が不意に落下することを防止することができ、測定作業に集中することができるため迅速な作業を実現することが可能となる。
【００１７】
さらにまた、本体は、音声を出力する音声出力部を備え、音声出力部は、電圧の測定結果に応じて音声を出力するようにしてもよい。
音声出力部から電圧の測定結果に応じて音声が出力されることにより、作業者は、目視の確認だけでなく、音声により保護装置の健全性を確認（接続状況の確認）することができるため、確実な点検作業を実行することができ、誤操作により遮断器を稼働させて不要な停電を起こすことを防止することができる。
【発明の効果】
【００１８】
以上述べたように、本発明に係るトリップロック端子用電圧計によれば、端子接続部を第１端子部と第２端子部とを一体に形成したことにより、トリップロック端子の一方の端子及び他方の端子を同時に接続することが可能となるため、第１の表示部と第２の表示部とに同時に一対のトリップロック端子の電圧を表示し測定することができ、作業時間の短縮を図ることが可能となる。また、端子接続部を、有線状に形成し、本体部の上面に基端が可動自在に固定することにより、トリップロック端子が狭隘な場所や、間隔を狭く配列してある場所においても接続の阻害となる干渉部位がないため、端子接続部を容易にトリップロック端子に接続することが可能となり、作業範囲の自由度を高めることが可能となる。
【図面の簡単な説明】
【００１９】
【図１】図１（ａ）は、本発明に係るトリップロック端子用電圧計の全体構成を示す上面図である。（ｂ）は、端子接続部の端子部及びトリップロック端子の拡大図である。（ｃ）は、端子接続部の本体接続部の拡大斜視図である。
【図２】図２は、本発明に係るトリップロック端子用電圧計を示す底面図である。
【図３】図３は、図１のＡ−Ａ線断面図であり、（ａ）は、本体部の側面から鉛直方向に向かって収容空間が形成されたものであり、（ｂ）は、本体部の側面から底面に向かって斜度を有して切欠いて収容空間が形成されたものである。
【図４】図４は、端子接続部の端子部を示すもので、（ａ）は正面図であり、（ｂ）は背面図であり、（ｃ）は側面図である。
【図５】図５は、端子部材の構成を示す正面図である。
【図６】図６は、本発明に係るトリップロック端子用電圧計の他の実施例の全体構成を示す斜視図である。
【発明を実施するための形態】
【００２０】
以下、本発明に係るトリップロック端子用電圧計について図面を参照しながら説明する。
【００２１】
図１において、トリップロック端子用電圧計１は、電力保護制御盤に設けられた一対のトリップロック端子２の電圧を測定するもので、箱状に形成された本体部３に、一対のトリップロック端子２の一方の端子２１（正極側端子）の電圧を表示する第１の表示部４ａ及び他方の端子２２（負極側端子）の電圧を表示する第２の表示部４ｂと、トリップロック端子２の正極側端子２１に接続する第１端子部５１と負極側端子２２に接続する第２端子部５２とが一体に形成された端子部５３を有する端子接続部５と、電力保護制御盤に設けられたアース端子に接続するアース接続部６と、電圧の測定結果に応じて音声を出力する音声出力部７と、を有して構成されている。
【００２２】
本体部３は、底面３１の面積が上面３２の面積よりも広く形成された四角錐台状に形成されている。
【００２３】
本体部３の底面３１は、図２に示すように、四隅にゴム脚３１ａが設けられ、略中央に位置するところに作業者の腕に本体部３を取り付け可能な取付部８が形成されている。
【００２４】
取付部８は、帯状に形成された帯状部８１と、この帯状部８１を挿通可能に本体部３の底面３１に形成された固定部８２とを有して構成されている。
【００２５】
帯状部８１は、ナイロン等の繊維素材のもので、先端及び基端には互いに圧着させて固定することが可能な面ファスナ８３，８４が設けられており、作業者の腕周りに合わせて固定長を調整可能になっている。
【００２６】
固定部８２は、底面３１の略中央から上面３２に向かって台形台状に形成された凹部８５と、凹部８５の端部の一部と対向する端部の一部とを接続する接続面８６と、を有して構成されている。
【００２７】
接続面８６は、底面３１と同一面上に形成され、接続面８６の凹部８５に対峙する面と凹部８５の上面３２側に形成される面とは、少なくとも帯状部８１の厚みよりも広い間隔を有している。
【００２８】
これにより、凹部８５と接続面８６との間には帯状部８１を挿通可能な挿通孔８７が形成されている。
すなわち、取付部８は、帯状部８１を固定部８２の挿通孔８７に通し、作業者の腕に帯状部８１を巻き付けて面ファスナ８３，８４により固定することにより、作業者の腕に取り付け可能に形成されている。
【００２９】
また、本体部３の両側面３３，３４には、端子接続部５の先端に形成された端子部５３を収容する収容部９を有している。
【００３０】
収容部９は、側面から底面３１に向かって切欠いて形成された収容空間であり、本実施例においては、図３（ａ）に示されるように、側面から鉛直方向に向かって略直方体状に形成されている。また、収容空間の底部９１には、後述する端子部５３の先端に形成された第１端子部５１及び第２端子部５２を収容可能に端子孔９２ａ，９２ｂが形成されている。
【００３１】
なお、収容部９は、図３（ｂ）に示されるように、本体部３の側面から底面３１に向かって斜度を有して切欠いて形成してもよい。
【００３２】
第１の表示部４ａ及び第２の表示部４ｂは、それぞれ本体部３の上面３２に設けられるもので、トリップロック端子２の測定電圧に対応した範囲を示すものを用いるとよい。
【００３３】
端子接続部５は、図１（ｂ），（ｃ）にも示すように、先端に端子部５３と、基端に本体部３の内部に形成される電圧測定回路に接続する本体接続部５４と、が形成され、本体接続部５４と端子部５３との間はリード線５５によって接続された有線状のものである。
【００３４】
端子部５３は、図４（ａ），（ｂ）に示すように、前記第１端子部５１及び前記第２端子部５２によって構成されている。
【００３５】
第１端子部５１は、本体５６ａが矩形状に形成され、長手方向の一端から他端にかけて第２端子部５２を挿入可能に挿入孔５７が形成され、接続方向の基端に螺子１０と螺合可能な螺子孔（図示せず）が形成され、先端に半円の凹部を有する端子５８ａが形成されている。なお、第１端子部５１の本体は、正極側端子２１に接続することを明確にするため、例えば、赤色に着色することが望ましい。
【００３６】
第２端子部５２は、本体５６ｂが矩形状のもので、接続方向の基端にはリード線５５と接続する接続部５９が形成され、先端に半円の凹部を有する端子５８ｂが形成されている。なお、第２端子部５２の本体５６ｂは、負極側端子２２に接続することを明確にするため、例えば、黒色に着色することが望ましい。
【００３７】
なお、第１端子部５１と第２端子部５２とに形成された端子５８ａ，５８ｂは、図４（ｃ）に示すように、接続方向に対してその基端部５８ｃ，５８ｄが鋭角から直角の角度を有して形成するようにしてもよい。
【００３８】
すなわち、第１端子部５１の挿入孔５７に第２端子部５２を挿入し、測定するトリップロック端子２の離接距離に合わせて第２端子部５２をスライドさせ、その位置を固定するように螺子１０を螺子孔に締め付ける（螺子１０の先端が第１端子部５１を第２端子部５２の挿入孔５７に押し付ける）ことにより、第１端子部５１と第２端子部５２との離接距離を調整可能な調整機構５０として機能させる。なお、第１端子部５１と第２端子部５２との離接距離を調整したときの端子部５３の形状は、トリップロック端子２に取り付ける短絡片と同等の形状（長さ、幅、厚み）を有することになる。
【００３９】
ここで、一般に多くのトリップロック端子２は、その離接距離の差が１０ｍｍ以内の範囲内に収まるものであるため、調整機構５０の調整は少なくとも１０ｍｍ程度有していることが望ましい。
【００４０】
本体接続部５４は、プレート状に形成された本体５４ａと、本体部３の端子（図示せず）に差し込み可能にジャック状に形成された第１接続部５４ｂと、第２接続部５４ｃと、を有して構成されている。
【００４１】
第１接続部５４ｂは、第１の表示部４ａの回路と接続するもので、本体５４ａから外部方向に向かって中空の円筒状に突出して形成され、その外周面が赤色に着色にされている。
【００４２】
第２接続部５４ｃは、第２の表示部４ｂの回路と接続するもので、本体５４ａから外部方向に向かって中空の円筒状に突出して形成され、その外周面が黒色に着色にされている。
【００４３】
アース接続部６は、基端６０が本体部３の内部に形成される電圧測定回路に接続され、先端に前記アース端子に接続するクリップ状の端子６１が設けられるリード線である。なお、アース接続部６は、アース端子に接続することを明確にするため、例えば、緑色に着色することが望ましい。
【００４４】
基端６０は、本体部３の上面３２においてそれぞれの側面３３，３４の近傍の２箇所に形成されたアース接続口３２ａ，３２ｂに差し込み接続可能にジャック状に形成されている。作業者は、このアース接続口３２ａ，３２ｂのいずれかに、基端６０を差し込んで接続することで、利き手に関わらず測定作業が可能となる。
【００４５】
音声出力部７は、少なくとも２種類の音声を出力するスピーカ（図示せず）と、電圧の測定結果に応じて正常又は異常であるかを判断する判断手段（図示せず）を備えている。
【００４６】
判断手段は、予め定めた所定電圧に合致するか否かを判断する論理回路であることが望ましい。
【００４７】
なお、断路型などのトリップロック端子２の形状によっては、図５に示すように、針状に形成された端子部材１１を用いてもよく、このような端子部材１１を使用する場合には、本体部３の上面３２に形成された端子部材接続部３２ｃ，３２ｄに基端部１２を接続し、先端部１３を対象となるトリップロック端子２に接続して測定するとよい。
【００４８】
以上で説明したトリップロック端子用電圧計１を使用する場合について説明する。
アース接続部６を電力保護制御盤に設けられたアース端子に接続した後、端子接続部５の端子部５３を調整機構５０により、トリップロック端子２の正極側端子２１と負極側端子２２との離接距離に調整し、端子接続部５をトリップロック端子２に接続する。このとき、端子接続部５の端子部５３と、アース接続部６と、は各々異なる色に着色されているため、誤接続を防止することができる。
【００４９】
このとき、正常な接続状態であれば、例えば、第１の表示部４ａが０Ｖを示し、第２の表示部が−５５Ｖを示すが、異常な接続状態にあるときは、第１の表示部４ａが＋５５Ｖを示し、第２の表示部４ｂが−５５Ｖを示す。
【００５０】
音声出力部７の判断手段は、第１の表示部４ａ及び第２の表示部４ｂの表示に基づき正常な接続状態の電圧と判断したときは、「ピンポン」等の音をスピーカから出力するように回路を接続する。一方、正常な接続状態以外の電圧を検知したときは、「ブー」等の警告音をスピーカから出力するように回路を接続する。
【００５１】
作業者は、正常な接続状態であることを確認し、短絡片をトリップロック端子２に接続する。
なお、本実施例においては、収容部９は、収容空間を設けることによって構成したが、これには限られず、例えば、図６に示すように、本体部３の側面から外方に突出して形成されたポケット状のもので構成してもよい。また、収容部９は、本実施例のように両側の側面３３，３４に設けることが好ましいが、本体部３のいずれか一方の側面にのみ設けて実施してもよい。
【００５２】
以上述べたように、本発明のトリップロック端子用電圧計１によれば、第１端子部５１と第２端子部５２とが一体に形成された端子接続部５を用いて、トリップロック端子２の一方の端子及び他方の端子を同時にトリップロック端子用電圧計１に接続することが可能となるため、第１の表示部４ａと第２の表示部４ｂとに同時に一対のトリップロック端子２の電圧を表示し測定することができる。また、端子接続部５が有線状に形成されることにより、端子接続部５の可動域が広がると共に、トリップロック端子２に接続する端子部５３は、接続に必要な最小幅（短絡片と同等の形状）を有していればよいので、トリップロック端子２が狭隘な場所や、間隔を狭く配列してある場所においても接続時に部材同士の干渉が発生することを防止できる。このため、作業者は、利き手によらずトリップロック端子２の左右どちらからでも端子接続部５をトリップロック端子２に接続して測定をすることが可能となる。
【００５３】
また、本体部３に収容部９を設けることにより、測定作業時に収容部９に端子部５３を収容して短絡片を取り付ける等の作業を容易に行うことができ、また、保管時や移動時に端子接続部５が断線することを防ぐことができる。ここで、上述したいずれの態様の収容部９を設けたとしても、本体部３の両側面３３，３４に収容部９を設けることで、作業者の利き手に応じていずれかの側面の収容部９に端子部５３を収容することができることになるため、作業の迅速化を図ることができる。なお、収容部９が収容空間である場合には、側面から底面３１に向かって斜度を有することにより、必ず端子部５３が重力により収容空間の底部に収まることになり、端子部５３が収容部９から抜け落ちることを防止することが可能となる。
【００５４】
さらに、第１端子部５１と第２端子部５２との離接距離を調整可能な調整機構５０を設けることにより、１台のトリップロック端子用電圧計１で様々な規格のトリップロック端子２に対して測定することが可能になる。
【００５５】
さらにまた、第１端子部５１と第２端子部５２とに形成された端子５８ａ，５８ｂの基端部を接続方向に対して鋭角から直角の角度を有して形成することで、端子部５３をトリップロック端子２に接続する際に、隣接して設けられたトリップロック端子２と干渉することを防ぐことができ、さまざまなトリップロック端子２の設置態様に適応して測定することが可能となる。
【００５６】
また、作業者は、取付部８を腕に巻き付けて測定作業を行うことにより、トリップロック端子用電圧計１が不意に落下することを防止することができ、測定作業に集中することができるため迅速な作業を実現することが可能となる。
さらに、音声出力部７から電圧の測定結果に応じて音声が出力されることにより、作業者は、目視の確認だけでなく、音声により保護装置の健全性を確認（接続状況の確認）することができるため、確実な点検作業を実行することができ、誤操作により遮断器を稼働させて不要な停電を起こすことを防止することができる。
【符号の説明】
【００５７】
１  トリップロック端子用電圧計
２  トリップロック端子
３  本体部
４ａ  第１の表示部、
４ｂ  第２の表示部、
５  端子接続部、
５０  調整機構
５１  第１端子部
５２  第２端子部
５３  端子部
６  アース接続部、
７  音声出力部
８  取付部
９  収容部
【図１】
2016114443.tif 000003
【図２】
2016114443.tif 000004
【図３】
2016114443.tif 000005
【図４】
2016114443.tif 000006
【図５】
2016114443.tif 000007
【図６】
2016114443.tif 000008